(57)【要約】【課題】押圧部材の操作位置を意識しなくても宅配ボックスの施錠を容易に解除できる解除装置を提供する。【解決手段】宅配ボックス１の内部に設けられ、宅配ボックス１の施錠を宅配ボックス１の内部からの操作で解錠する宅配ボックス１の解錠装置であって、宅配ボックス１の内側面に固定される基台１１と、基台１１に固定される案内部材１２と案内部材１２によって前記基台１１に支持され、基台１１に近接する方向に移動可能な押圧部材１４と、基台１１と押圧部材１４との間に配置され、押圧部材１４に基台１１から離間する方向の力を加える弾性部材１３と、基台１１と押圧部材１４との間に配置されるワイヤー１５と、を備え、ワイヤー１５が、宅配ボックス１の施錠装置４に連結され、押圧部材１４が基台１１に近接する方向に押されると、ワイヤー１５が引き寄せられて施錠装置４の施錠を解除する。【選択図】図１
2020186609.tif 000002
【特許請求の範囲】
【請求項１】
宅配ボックスの内部に設けられ、前記宅配ボックスの施錠装置の施錠を前記宅配ボックスの内部からの操作で解除する宅配ボックスの解錠装置であって、
前記宅配ボックスの内側面に固定される基台と、
前記基台に固定される案内部材と
前記案内部材によって前記基台に支持され、前記基台に近接する方向に移動可能な押圧部材と、
前記基台と前記押圧部材との間に配置され、前記押圧部材に前記基台から離間する方向の力を加える弾性部材と、
前記基台と前記押圧部材との間に配置されるワイヤーと、を備え、
前記ワイヤーが、前記宅配ボックスの施錠装置に連結され、
前記押圧部材が前記基台に近接する方向に押されると、前記ワイヤーが引き寄せられて前記施錠装置の施錠を解除する宅配ボックスの解錠装置。
【請求項２】
前記基台が、前記宅配ボックスの扉に設けられ、前記基台に支持される前記押圧部材によって前記扉の内側面を覆う請求項１に記載の宅配ボックスの解錠装置。
【請求項３】
前記基台に支持される押圧部材が、前記宅配ボックスにおける内側面の任意の位置に設けられ、前記ワイヤーが前記宅配ボックスの内壁に沿って這わされるとともに、施錠装置に連結される請求項１に記載の宅配ボックスの解錠装置。
【発明の詳細な説明】
【技術分野】
【０００１】
本発明は、宅配ボックスの解錠装置に関する。
【背景技術】
【０００２】
従来、施錠可能な大型の宅配ボックスにおいて、宅配ボックス内に不測に閉じ込められた子供等が自力で脱出できる宅配ボックスの安全装置が提案されている。宅配ボックスの安全装置は、宅配ボックスの内部に閉じ込められた子供等が宅配ボックスの内部に設置された安全装置のレバーやボタンを操作することで宅配ボックスの施錠を解除することができる。このような宅配ボックスの安全装置において、暗いボックス内でも子供が容易に操作できる宅配ボックスの安全装置が知られている。例えば特許文献１の如くである。
【０００３】
特許文献１に記載の宅配ボックスの安全装置は、施錠を解除する先端プレートと殴打用プレートを備える。先端プレートは、途中部を揺動中心として揺動自在に構成されている。殴打用プレートは、一側端を揺動中心として揺動自在に構成されている。さらに、先端プレートの一側端と殴打用プレートの他側端とが揺動自在に連結されている。宅配ボックスの安全装置は、殴打用プレートが殴打等によって揺動操作されると、先端プレートが連動して宅配ボックスの施錠を解除する。このように構成されている宅配ボックスの安全装置は、暗いボックス内で子供が殴打用プレートを操作し易いように、操作に最低限必要な大きさよりも十分大きく形成されている。しかし、殴打用プレートの操作は、一側端を揺動中心とする揺動操作であるため、殴打用プレートの操作位置毎に宅配ボックスの施錠の解除に必要な力が異なる。従って、特許文献１に記載の安全装置は、殴打用プレートの操作位置によっては、容易に宅配ボックスの施錠を解錠できない場合があった。
【先行技術文献】
【特許文献】
【０００４】
【特許文献１】特開２００２−４６７３号公報
【発明の概要】
【発明が解決しようとする課題】
【０００５】
本発明は、以上の如き状況を鑑みてなされたものであり、押圧部材の操作位置を意識しなくても宅配ボックスの施錠を容易に解除できる解除装置の提供を目的とする。
【課題を解決するための手段】
【０００６】
即ち、第一の発明は、宅配ボックスの内部に設けられ、前記宅配ボックスの施錠装置の施錠を前記宅配ボックスの内部からの操作で解除する宅配ボックスの解錠装置であって、前記宅配ボックスの内側面に固定される基台と、前記基台に固定される案内部材と前記案内部材によって前記基台に支持され、前記基台に近接する方向に移動可能な押圧部材と、前記基台と前記押圧部材との間に配置され、前記押圧部材に前記基台から離間する方向の力を加える弾性部材と、前記基台と前記押圧部材との間に配置されるワイヤーと、を備え、前記ワイヤーが、前記宅配ボックスの施錠装置に連結され、前記押圧部材が前記基台に近接する方向に押されると、前記ワイヤーが引き寄せられて前記施錠装置の施錠を解除するものである。
【０００７】
第二の発明は、前記基台が、前記宅配ボックスの扉に設けられ、前記基台に支持される前記押圧部材によって前記扉の内側面を覆うものである。
【０００８】
第三の発明は、前記基台に支持される押圧部材が、前記宅配ボックスにおける内側面の任意の位置に設けられ、前記ワイヤーが前記宅配ボックスの内壁に沿って這わされるとともに、施錠装置に連結されるものである。
【発明の効果】
【０００９】
本発明の効果として、以下に示すような効果を奏する。
【００１０】
第一の発明においては、押圧部材が案内部材に沿って移動するように構成されているので、押圧部材の操作位置に関わらず、等しい力によって押圧部材が基台に向かって移動される。これにより、押圧部材の操作位置を意識しなくても宅配ボックスの施錠を容易に解除できる。
【００１１】
第二の発明においては、宅配ボックス内の扉側全面が押圧部材で構成されているので、扉側の無作為な位置の押圧に関わらず、等しい力によって押圧部材が基台に向かって移動される。これにより、押圧部材の操作位置を意識しなくても宅配ボックスの施錠を容易に解除できる。
【００１２】
第三の発明においては、宅配ボックス内の任意の位置に押圧部材が配置されているので、宅配ボックスの形状を考慮した押されやすい位置に押圧部材が配置されている。これにより、押圧部材の操作位置を意識しなくても宅配ボックスの施錠を容易に解除できる。
【図面の簡単な説明】
【００１３】
【図１】宅配ボックスの一実施形態の構成を示す概略図。
【図２】図２は施錠装置を示す。（Ａ）は施錠装置が施錠している状態を示し、（Ｂ）は施錠装置が解錠されている状態を示す。
【図３】解除装置の正面図および側面図を示す。
【図４】図４は施錠装置と解除装置との作動態様を示す。（Ａ）は施錠装置が施錠している状態を示し、（Ｂ）は施錠装置の施錠が解除装置によって解除されている状態を示す。
【図５】解除装置の押圧部材の形状が異なる別実施形態を示す。
【図６】解除装置の位置が異なる別実施形態を示す。
【発明を実施するための形態】
【００１４】
初めに、図１と図２を用いて、本発明に係る宅配ボックス１の一実施形態である宅配ボックス１について説明する。
【００１５】
図１に示すように、宅配ボックス１は、配達された荷物を収納しておく保管庫である。宅配ボックス１は、屋外または屋外から操作可能な場所に設置されている。宅配ボックス１は、様々な大きさの宅配された荷物を収納できる大きさに構成されている。宅配ボックス１は、容器２と、施錠装置４と、解錠装置１０とを具備している。
【００１６】
容器２は、宅配ボックス１を構成する主な部材である。容器２は、中空の立方体または直方体に形成されている。容器２は、内部に子供が入り込める程度の大きさに形成されている。容器２は、一つの側面に開口部２ａが形成されている。容器２の開口部２ａには扉３が設けられている。扉３は、蝶番等を介して容器２に支持され、開閉可能に構成されている。扉３には、施錠装置４が設けられている。扉３は、閉じている状態において施錠装置４によって施錠されている。
【００１７】
図２に示すように、施錠装置４は、所定の操作によって扉３を施錠したり、施錠を解除したりするものである。施錠装置４は、シリンダー５、かんぬき支持部材６、かんぬき８、ばね９を備える。
【００１８】
シリンダー５は、特定の鍵穴５ｃによって所定の部分が回転可能に構成されている部材である。シリンダー５は、円柱状に形成されている。シリンダー５の一側端には、鍵穴５ａが設けられている。また、シリンダー５の他側端には、鍵穴５ａに挿入された鍵穴５ｃを回転させることでシリンダー５の軸を回転中心として回転する凸部５ｂが設けられている。シリンダー５は、扉３に形成された図示しないシリンダー取付孔に固定されている。シリンダー５は、鍵穴５ａが設けられている一側を扉３の外側面に向け、凸部５ｂが設けられている他側を扉３の内側面に向けて配置されている。
【００１９】
かんぬき支持部材６は、かんぬき８を摺動自在に支持する部材である。かんぬき支持部材６は、略長方形状の板材から形成されている。かんぬき支持部材６には、シリンダー５の凸部５ｂが係合する溝孔６ａが形成されている。かんぬき支持部材６の一側には、かんぬき８に係合される係合ピン６ｂが設けられている。かんぬき支持部材６の他側には、支持部材側ばね用ピン６ｃが設けられている。
【００２０】
かんぬき支持部材６は、シリンダー５の凸部５ｂが溝孔６ａに係合された状態でシリンダー５の他側端に摺動自在に支持されている。また、かんぬき支持部材６は、扉３の内側面に固定されている回り止め部材７によって長手方向に摺動自在に支持され、凸部５ｂの回転による連れ回りが防止される。つまり、かんぬき支持部材６は、シリンダー５と回り止め部材７によって、扉３の内側面に支持されている。かんぬき支持部材６は、溝孔６ａに係合している凸部５ｂが回転することでかんぬき支持部材６の長手方向に移動可能に構成されている。
【００２１】
かんぬき８は、扉３を開かないようにする部材である。かんぬき８は、板材が略長方形状に形成されている。かんぬき８は、対向する長辺部分が屈曲されて壁部８ａが形成されている。対向する壁部８ａは、かんぬき支持部材６が摺動自在に嵌合可能な間隔に形成されている。壁部８ａの一側端部は傾斜面が形成されている。壁部８ａの他側端部にはかんぬき側ばね用ピン８ｂが設けられている。かんぬき８の一側には、長手方向に延びる係合用長孔８ｃが形成されている。かんぬき８の途中部は、かんぬき支持部材６を支持しているシリンダー５と支持部材側ばね用ピン６ｃとの干渉を避けるための抜き孔８ｄが形成されている。
【００２２】
かんぬき８は、対向する壁部８ａの間にかんぬき支持部材６が配置されている。つまり、かんぬき８は、かんぬき支持部材６によって、かんぬき支持部材６の長手方向に移動自在に支持されている。この際、壁部８ａの一側端部は、扉３の外縁側に配置されている。かんぬき８の抜き孔８ｄには、シリンダー５と支持部材側ばね用ピン６ｃとが配置されている。かんぬき８の係合用長孔８ｃには、かんぬき支持部材６の係合ピン６ｂが嵌合されている。これにより、かんぬき８は、かんぬき支持部材６に対する長手方向の移動量が規制される。
【００２３】
ばね９は、かんぬき８に一方向の力を加える部材である。ばね９は、引っ張りばねから構成されている。ばね９の両端は、かんぬき支持部材６の支持部材側ばね用ピン６ｃと、かんぬき８のかんぬき側ばね用ピン８ｂとに初張力を生じさせた状態でそれぞれ接続されている。つまり、ばね９は、かんぬき側ばね用ピン８ｂを支持部材側ばね用ピン６ｃに近づける方向の力を加えている。これにより、かんぬき８は、ばね９の力によって一側端が扉３の外縁から突出した状態で維持されている。かんぬき８は、かんぬき支持部材６の係合ピン６ｂによって扉３の外縁からの突出量が規制される。
【００２４】
図２（Ａ）に示すように、宅配ボックス１は、扉３が閉まっている状態において、扉３から突出しているかんぬき８の一側端（以下「係合部」と記す）が容器２に形成されているに嵌合している。つまり、宅配ボックス１は、扉３が閉まっている状態において施錠装置によって施錠されている。
【００２５】
図２（Ｂ）に示すように、シリンダー５に特定の鍵穴５ｃを挿入して回転させた場合、シリンダー５の凸部５ｂが回転する（円弧矢印参照）。凸部５ｂが嵌合しているかんぬき支持部材６の溝孔６ａを押圧することで、かんぬき支持部材６は、扉３の外縁から離れる方向に移動される（白塗矢印参照）。かんぬき支持部材６の係合ピン６ｂに係合されているかんぬき８は、かんぬき支持部材６と共に扉３に外縁から離れる方向に移動される。これにより、かんぬき８は、容器２に形成されているかんぬき孔２ｂから離間する。つまり、宅配ボックス１は、鍵穴５ｃの回転によって施錠が解除される。
【００２６】
次に、図３用いて、宅配ボックス１の解錠装置１０について説明する。解錠装置１０は、基台１１と、案内部材１２と、弾性部材１３と、押圧部材１４と、ワイヤー１５とを具備する。
【００２７】
基台１１は、解錠装置１０の基部となる部材である。基台１１は、長方形状の板金が屈曲されて突出部１１ａと取付部１１ｂとが形成されている。突出部１１ａには、取付部１１ｂと平行な平坦面が形成されている。基台１１は、扉３の内側面に取付部１１ｂが固定されている。つまり、基台１１は、突出部１１ａの平坦面と扉３の内側面とが平行な状態で扉３の内側面に固定されている。本実施形態において、基台１１は、宅配ボックス１の施錠装置４よりも扉３の内側（蝶番側）に配置されている（図１参照）。
【００２８】
案内部材１２は、押圧部材１４を案内する部材である。案内部材１２は、ボルト等から構成されている。案内部材１２は、基台１１の突出部１１ａに設けられている。案内部材１２は、その軸方向が突出部１１ａの平坦面に対して略垂直になるように配置されている。
【００２９】
弾性部材１３は、押圧部材１４に力を加える部材である。弾性部材１３は、皿ばねから構成されている。弾性部材１３は、基台１１の突出部１１ａに配置されている。弾性部材１３は、案内部材１２に支持されている。弾性部材１３は、案内部材１２の軸方向に力が加わると弾性変形しながら、変形量に応じた反力を発生させる。なお、弾性部材１３は、皿ばねに限定するものではなく、案内部材１２の軸方向に力が加わると弾性変形しながら、変形量に応じた反力を発生させるものであればよい。
【００３０】
押圧部材１４は、施錠装置４の施錠を解除するための操作を行う部材である。押圧部材１４は、長方形状の板金うち対向する長辺がそれぞれ屈曲されたワイヤー屈曲部１４ａと、対向するワイヤー屈曲部１４ａを繋ぐ押圧部１４ｂとが形成されている。押圧部１４ｂは、宅配ボックス１の容器２内に入り込める子供の手よりも十分大きい面積の平坦面からなる。対向して形成されているワイヤー屈曲部１４ａは、基台１１の突出部１１ａの幅よりも大きい間隔に形成されている。
【００３１】
押圧部材１４は、案内部材１２の軸方向に移動可能に支持されている。押圧部材１４は、押圧部１４ｂが案内部材１２の軸方向に対して垂直になるように配置されている。また、押圧部材１４は、弾性部材１３を介して基台１１に支持されている。この際、ワイヤー屈曲部１４ａの基台側端部は、基台１１における突出部１１ａの平坦面と略同一の軸方向位置に配置されている。押圧部材１４は、弾性部材１３を弾性変形させる程度の力が加わることで、案内部材１２に沿って基台１１に近接する方向に移動するように構成されている。
【００３２】
ワイヤー１５は、押圧部材１４の動きを宅配ボックス１の施錠装置４に伝達する非収縮性の部材である。ワイヤー１５の一側端は、押圧部材１４のワイヤー屈曲部１４ａに連結されている。ワイヤー１５の他側端は、施錠装置４におけるかんぬき８のかんぬき側ばね用ピン８ｂに連結されている。また、ワイヤー１５は、基台１１と押圧部材１４との間を通過してかんぬき側ばね用ピン８ｂとワイヤー屈曲部１４ａとを連結している。
【００３３】
このように構成される宅配ボックス１の解錠装置１０は、宅配ボックス１における扉３の内側面に設けられている。解錠装置１０における押圧部材１４の押圧部１４ｂは、扉３の内側面と略平行になるように構成されている。つまり、解錠装置１０は、押圧部１４ｂを押圧することで、扉３を容器２の内部から外部にむかって押圧するように構成されている。
【００３４】
次に、図４を用いて、解錠装置１０による宅配ボックス１の施錠の解除について説明する。本実施形態において、宅配ボックス１の施錠の解除は、容器２の内部から行うものとする。
【００３５】
図４（Ａ）に示すように、宅配ボックス１は、扉３が閉じている。また、宅配ボックス１の施錠装置４は、ばね９の力によってかんぬき８が容器２のかんぬき孔２ｂに挿入されている。つまり、宅配ボックス１の扉３は、施錠装置４によって施錠されている状態である。
【００３６】
図４（Ｂ）に示すように、解錠装置１０は、容器２の内部から押圧部材１４が押されると、弾性部材１３を撓ませながら押圧部材１４が基台１１に向かって移動する（矢印参照）。押圧部材１４は、案内部材１２によって支持されているので、押圧部材１４の押された位置に関わらず略同一の力で基台１１に向かって案内部材１２に沿うように移動する。
【００３７】
押圧部材１４におけるワイヤー屈曲部１４ａの基台側端部は、押圧部材１４の移動によって基台１１における突出部１１ａの平坦面よりも扉３側に移動される。ワイヤー屈曲部１４ａに連結されているワイヤー１５は、基台１１の突出部１１ａに押し付けられる。つまり、ワイヤー１５の途中部が、突出部１１ａによって押圧部材１４の内側に相対的に押し込まれる。これにより、ワイヤー１５が連結されているワイヤー屈曲部１４ａから施錠装置４におけるかんぬき８のかんぬき側ばね用ピン８ｂまでのワイヤー１５の経路長が長くなる。非伸縮性のワイヤー１５は、ワイヤー１５の経路長が長くなった分だけ、かんぬき側ばね用ピン８ｂを押圧部材１４側に引き寄せる（白塗矢印参照）。
【００３８】
施錠装置４のかんぬき支持部材６は、シリンダー５の凸部５ｂとの係合により位置が固定されている。しかし、施錠装置４のかんぬき８は、かんぬき支持部材６の長手方向に移動自在に支持されているので、ワイヤー１５によって押圧部材１４側に引き寄せられる。つまり、解錠装置１０は、施錠された状態のかんぬき８を扉３の内側（蝶番側）に移動させる（白塗矢印参照）。これにより、かんぬき８が容器２のかんぬき孔２ｂから引き抜かれ、宅配ボックス１の扉３の施錠が解除される。この際、解錠装置１０は、扉３に設けられているので、押圧部材１４が押されると、施錠装置４の施錠を解除するとともに、扉３を開く方向の力が扉３に伝わる。従って、宅配ボックス１は、施錠装置４の施錠が解除されると、扉３が押されて開いた状態になる。
【００３９】
このように、解錠装置１０は、押圧部材１４が案内部材１２に沿って移動するように構成されているので、押圧部材１４の押圧位置に関わらず、等しい力によって押圧部材１４が基台１１に向かって移動される。これにより、解錠装置１０は、押圧部材１４の押圧位置を意識しなくても宅配ボックス１の施錠を容易に解除できる。また、解錠装置１０は、採光用の孔を押圧部材１４に形成して押圧部材１４の位置を示すように構成することで、暗い宅配ボックス１内での押圧部材１４の押圧操作をより容易にすることができる。
【００４０】
上述の実施形態において、押圧部材１４の押圧部１４ｂは、宅配ボックス１の容器２内に入り込める子供の手よりも十分大きい面積の平坦面を有しているが、押圧部材１４の大きさや形状はこれに限定されない。図５に示すように、宅配ボックス１の扉３の内側面の全面を覆うように押圧部材１４を設けてもよい。
【００４１】
図５に示す解錠装置１０は、宅配ボックス１内の扉３の全面を案内部材１２で支持されている押圧部材１４で覆っているので、無作為な位置の押圧に関わらず、等しい力によって押圧部材１４が基台１１に向かって移動される。従って、宅配ボックス１内が暗く、押圧部材１４の位置がはっきりと認識できない場合でも、外に出るための扉３を開ける動作によって押圧部材１４が押されて解錠装置１０が作動する。これにより、押圧部材１４の押圧位置を意識しなくても宅配ボックス１の施錠を容易に解除できる。
【００４２】
また、上述の実施形態において、解錠装置１０は、宅配ボックス１の扉３に設けられているがこれに限定されない。解錠装置１０は、宅配ボックス１の容器２内における任意の位置に配置されていればよい。図６に示すように、解錠装置１０は、容器２における扉３と対向する面である後面に設けてもよい。
【００４３】
図６に示す解錠装置１０は、ワイヤー１５を容器２の内側面にそって後面からローラー１６等を介して、扉３の施錠装置４のかんぬき８に連結させる。解錠装置１０は、押圧部材１４が押されると、内側面に沿って配置されているワイヤー１５の作用によってかんぬき８が容器２のかんぬき孔２ｂから引き抜かれる。
【００４４】
また、容器２の内側面にそって配置されているワイヤー１５の途中部に、さらに基台１１に支持された押圧部材１４を設け、基台１１と押圧部材１４との間にワイヤー１５を配置することで、複数の押圧部材を有する解錠装置１０を構成することができる。
【００４５】
このように解錠装置１０は、宅配ボックス１内の任意の位置に押圧部材１４が配置されているので、押圧操作がより容易になるように押圧部材１４の配置を調整することができる。これにより、押圧部材１４の押圧位置を意識しなくても宅配ボックス１の施錠を容易に解除できる。
【００４６】
上述の実施形態は、代表的な形態を示したに過ぎず、一実施形態の骨子を逸脱しない範囲で種々変形して実施することができる。宅配ボックス１の形状、施錠装置４の構成等は上述の実施形態に限定するものではない。さらに種々なる形態で実施し得ることは勿論のことであり、本発明の範囲は、特許請求の範囲の記載によって示され、さらに特許請求の範囲に記載の均等の意味、および範囲内のすべての変更を含む。
【符号の説明】
【００４７】
１    宅配ボックス
４    施錠装置
１０    解錠装置
１１    基台
１２    案内部材
１３    弾性部材
１４    押圧部材
１５    ワイヤー
【図１】
2020186609.tif 000003
【図２】
2020186609.tif 000004
【図３】
2020186609.tif 000005
【図４】
2020186609.tif 000006
【図５】
2020186609.tif 000007
【図６】
2020186609.tif 000008